(57)【特許請求の範囲】
【請求項１】
スライド方向に相互に対して移動するように取り付けられた第一要素と第二要素とを備える制御摩擦装置であり、該装置が、
前記２つの要素の間に対称的に配列されて選択的に前記第二要素を擦る第一及び第二摩擦部材（５、５；１０５、１０５）を含み、前記摩擦部材の各々がプレッサ部材（６；１０６）によって、前記第一摩擦部材又は前記第二摩擦部材が前記第二要素に作用して前記第二要素の移動を防ぐウェッジング位置へ向かって押され、前記第一摩擦部材が、行程方向に沿った前記２つの要素の間の相対的移動の第一方向において前記２つの要素の間の相対的移動を防止する傾向を持ちかつ第二方向において前記プレッサ部材によって前記第一ウェッジ部材に加えられた応力に応じた対向摩擦力を前記２つの要素に加える傾向を持つように配置され、前記第二摩擦部材が、前記第二方向において前記２つの要素の相対的移動を防止する傾向を持ちかつ前記第一方向において前記プレッサ部材によって前記第二ウェッジ部材に加えられた応力に応じた対向摩擦力を前記２つの要素に加える傾向を持つように配置されることを特徴とし、
前記装置が、さらに、いずれかの方向の前記要素の相対的移動をブロックするのに適する前記摩擦部材の一方を無効化するが他方の摩擦部材が前記対向摩擦力を加えるのを妨害しない無効化手段（１０、１３、１４；１１０、１１３、１１４）を備える、装置。
【請求項２】
前記無効化手段が前記摩擦部材の各々の摩擦面（７；１０７）を前記摩擦面に面する前記要素の一方から持ち上げる持上げ手段（１３、１４；１１３、１１４）を備えることを特徴とする、請求項１に記載の装置。
【請求項３】
前記持上げ手段が楔形の持上げ部（１３；１１３）を備え、この上に前記摩擦部材の一方が前記第二要素から分離されるまで係合し、前記摩擦部材が最初に前記第二要素の移動によって引きずられることを特徴とする、請求項２に記載の装置。
【請求項４】
前記楔形持上げ部が前記摩擦部材の間に配置された壁（４；１０４）によって支えられることを特徴とする、請求項３に記載の装置。
【請求項５】
前記無効化手段が、前記摩擦部材の間に伸びて前記摩擦部材の各々の座面に重みを掛けて前記摩擦部材の離間を維持する支持及び離間部材（１０；１１０）を備え、前記支持及び離間部材が、前記摩擦部材の両方が前記第二要素（２）によって引きずられるとき前記摩擦部材と一緒に自由に移動することを特徴とする、請求項２に記載の装置。
【発明の詳細な説明】
【技術分野】
【０００１】
本発明は、両方向のスライドに適する、ダンパなど制御摩擦スライド装置に関する。
【背景技術】
【０００２】
スライド方向に相互に対して移動するよう取り付けられた第一及び第二の要素を備える制御摩擦装置が開示されている（例えば、特許文献１参照。）。摩擦部材は、２つの要素の間に配置され、プレッサ部材によってウェッジング位置へ向かって押されて、行程方向に沿った要素間の相対的移動の一方の方向において２つの要素の移動を防止し、かつ相対的移動の他方の方向において、プレッサ部材によってウェッジ部材に加えられた応力に応じた対向摩擦力を２つの要素に加える。
【０００３】
このために、摩擦部材は要素の一方を擦る摩擦面と他方の要素に重みを掛ける座面とを含む。この２つの面は相互にある角度を成す。
【０００４】
この装置は一方の方向にしか作用しないと言う欠点を有する。
【先行技術文献】
【特許文献】
【０００５】
【特許文献１】仏国特許第２９０５９９７号
【発明の概要】
【発明が解決しようとする課題】
【０００６】
本発明は、制御された摩擦の下で両方向に移動できるように既知の装置を対称的にしようとする。
【課題を解決するための手段】
【０００７】
このために、スライド方向に相互に対して移動するように取り付けられた第一と第二の要素とを備える制御摩擦装置が提供される。本発明の装置は、２つの要素の間に対称的に配置されて選択的に第二の要素を擦る第一及び第二の摩擦部材を含むことを特徴とする。摩擦部材は、各々、プレッサ部材によってウェッジング位置へ向かって押される。第一摩擦部材は、行程方向に沿った２つの要素の間の相対的移動の第一の方向において２つの要素の間の相対的移動を防止する傾向を持ち、かつ第二の方向において、プレッサ部材によって第一ウェッジ部材に加えられた応力に応じた対向摩擦力を２つの要素に加える傾向を持つように、配置される。これに対して、第二摩擦部材は、第二の方向において２つの要素の相対的移動を防止する傾向を持ち、第一の方向においてプレッサ部材によって第二ウェッジ要素に加えられた応力に応じた対向摩擦力を２つの要素に加える傾向を持つように、配置される。装置は、さらに、いずれかの方向の要素の相対的移動をブロックするのに適する一方の摩擦部材を無効化するが他方の摩擦部材が対向摩擦力を加えるのを妨害しない無効化手段を備える。
【０００８】
このように、移動をブロックする位置にある摩擦部材は無効化手段によってブロック効果を加えるのを防止される。従って、要素は、他方の摩擦部材によって加えられた対向摩擦力に対抗して問題の方向へ自由に移動する。反対方向への移動時には、摩擦部材は役割を交換する。
【０００９】
本発明は添付図面を参照することによってよりよく理解できる。
【図面の簡単な説明】
【００１０】
【図１】本発明に係る装置の概略図である。
【図２】本発明を実施する摩擦ダンパの概略断面図である。
【発明を実施するための形態】
【００１１】
図１を参照すると、本発明の装置は、第一要素１（この場合には静止要素）と長手方向にスライドするように第一要素１に取り付けられた第二要素２を備える。このために、第一要素１は、第二要素２を案内する案内車３を備える。本明細書においては、説明の必要上、第二要素は、図において矢印で表されるように右へ移動すると想定する。
【００１２】
第一要素は壁４を有し、その両側に２つの摩擦部材特に２つのウェッジ５があり、ウェッジはプレッサ部材（この場合には２つのばね６を備える）によって壁４に向かって押される。ウェッジは、各々、第二要素２を擦る摩擦面７と、摩擦面に対してある角度を成す対向する座面８とを有する。ウェッジ５は、壁４の両側に対称的に配置される。
【００１３】
２つの端部がこの場合にはホイール１１を介してウェッジ５の各々の座面８に重みを掛けるように、バランスアーム１０が壁４を通過して伸びる。バランスアーム１０は、第二要素２の行程方向に平行の方向に長手方向に自由に動けるように、壁４の裏面１２に重みを掛ける。
【００１４】
最後に、壁４の両側の終端部は２つの持上げフット１３を備える。持上げフットは各々、ウェッジ５のそれぞれの対応する斜面１４と協働するのに適する斜面を有する。
【００１５】
装置は下記のように作動する。第一要素１と第二要素２との間で相対的移動が与えられない休息段階において、ばね６は壁４に対してウェッジ５及びバランスアーム１０を中心に置く。ウェッジ５はその摩擦面７を介して第二要素に当接して乗る。
【００１６】
その後、第二要素２が動かされると（この場合には右に）、左側のウェッジはバランスアーム１０によって第二要素２に押し付けられて、斜面１４が対面する持上げフット１３に乗るまで第二要素と一緒に移動する。持上げフットに乗ると、左側エッジは持上げられて、摩擦面は第二要素から分離される。ウェッジはそれ以降第二要素２を擦ることができないので、無効化される。ウェッジはそれ以降第二要素２の移動を阻まない。
【００１７】
左側ウェッジは、その後対応するばね６によって壁４との当接を保持される。バランスアーム１０が同じ距離だけ右に移動したのが分かる。
【００１８】
右側ウェッジは、当初第二要素２と一緒に移動して、左側ウェッジが壁４と当接するまでバランスアーム１０によって押される。その後第二要素２が移動するとき、右側ウェッジは、対応するばね６によって与えられた抵抗に対抗して第二要素によって引きずられる傾向がある。右側ウェッジはその後平衡状態となり、この状態において、右側ウェッジは、ばね６によって加えられた応力によって制御された摩擦力を第二要素に対して加える。右側ウェッジはその後その摩擦機能を果たす。
【００１９】
当然、装置は対称形であり、第二要素２の左への移動は右側ウェッジを無効化し、左側ウェッジを摩擦部材として活動化する。
【００２０】
行程方向を変えるときデッドゾーンがあることが分かるはずである。第二要素が方向を変えるとき、第二要素は、右側ウェッジが壁４と当接するまで、右側ウェッジを第二要素と一緒に引きずり、一方、左側ウェッジはバランスアーム１０によって押し戻される。この距離（図１においてｄで表される）は、第二要素がいかなる対向力も受けないデッドゾーンに合致する。
【００２１】
また、バランスアーム１０は、ウェッジ５の間に所定の距離を維持することによってまた両方のウェッジが第二要素２によって引きずられるときウェッジと一緒に移動することによってウェッジ５を引き離す部材を形成することがわかるはずである。また、バランスアーム１０は、座面７の支持部材を形成して、活動ウェッジが制御摩擦力を生成できるようにする。
【００２２】
上述の原理は多様な応用で実施できる。例えば、図２は、例えば着陸装置の異常振動を減衰するために使用するのに適するシミーダンパの概略図である。
【００２３】
図２において、図１の要素に対応する要素には同じ参照番号に１００が加えられている。図示される様々な部品は円対称である。２つの相互に移動可能な要素すなわちダンパ本体１０１と、この中にスライド可能に取り付けられたロッド１０２が示される。２つのウェッジ５は、ロッド１０２を擦る円筒形の摩擦内面１０７と円錐形の外側座面１０８とを有する回転体を形成する摩擦部材１０５に置き換えられる。中央の壁１０４は、持上げフット１３に対応する持上げコーン１１３を形成するフレア形の土台を持つ。
【００２４】
ばね部材は、この例においてはばね座金１０６によって構成され、摩擦部材に応力を加えて、摩擦部材を壁１０４に向かって押す。
【００２５】
離間及び支持部材（spacing and bearing member）は、摩擦部材１０５の円錐形外側座面１０８に重みを掛けるのに適するブッシュ１１０によって構成される。ブッシュ１１０は壁１０４を貫通する。このために、壁１０４及びブッシュ１１０は適切な開口を有し、ブッシュ１１０がロッド１０２の行程方向に平行に移動できるようにする。バランスアーム１０と同様、ブッシュ１１０は、ばね部材１０６に対抗して摩擦部材１０５を一定の間隔に維持しながら、摩擦部材をロッド１０２に（円錐形の表面１０８を介して）押し付ける役割を果たす。
【００２６】
この組立体は図１の装置と同様に作動する。従って、本体１０１に対するロッド１０２の移動がデッドゾーンの長さより短い限り、ロッドは対向摩擦力を一切受けない。しかし、ロッド１０２の移動がデッドゾーンの長さより長いと、ロッドは制御摩擦力を受ける。このようにして、装置を使用して、所定の閾値を超えて増大する振幅を示す振動を有利に減衰できる。閾値はダンパのデッドゾーンによって決定される。
【００２７】
壁１０４に近づいた摩擦部材は、持上げコーン１１３の上へ移動し、それによって半径方向に広がって、ロッド１０２を擦ることを妨げられることによって、無効化されることが分かるはずである。
【００２８】
本発明は上述の説明に限定されず、特許請求の範囲によって定義される範囲内に属するあらゆる変形例を包括する。特に、２つの要素は、図示される装置において直線方向に移動するが、当然、直線ではない例えば円形の移動方向に備えることができる。さらに、２つの部材の結合を直列にあるいは並列に反復できる。
【図１】
0005307934.tif 000002
【図２】
0005307934.tif 000003